(57)【要約】      （修正有）【課題】吊りチェーンクランプを下側からクランプ用ボルトを支持部材に締め付けて取り付けることが可能な吊りチェーンクランプを提供する。【解決手段】胴部５の上部及び下部にそれぞれアーム部６，７が一体に連設されてコ字形のクランプ本体２が形成され、クランプ本体２のいずれか一方のアーム部６，７に上下方向に貫通したねじ孔にクランプ用ボルト３が螺合され、クランプ用ボルト３が螺合されているアーム部６又は７に吊りチェーン１１を掛ける吊り輪４が回転自在に垂下されている吊りチェーンクランプで、吊り輪４がクランプ本体２の胴部５に上下方向に形成されたガイド１２に沿って上下に移動可能に保持され、上下のアーム部６，７に吊り輪の軸棒が入り込む凹部１４が形成されている。【選択図】図２
0003170632.tif 000002
【実用新案登録請求の範囲】
【請求項１】
胴部の上部に上アーム部及び下部に下アーム部が一体に連設されてコ字形のクランプ本体が形成され、
前記上アーム部及び下アーム部のいずれか一方のアーム部に上下方向に貫通して形成されたねじ孔にクランプ用ボルトが螺合され、
前記クランプ用ボルトが螺合されている前記アーム部に吊りチェーンを掛ける吊り輪が、クランプ本体の胴部に上下方向に形成された垂直ガイドに沿って上下に移動可能な吊り輪ガイド部材に枢着されている軸棒に回転自在に垂下されていることを特徴とする吊りチェーンクランプ。
【請求項２】
前記上アーム部及び下アーム部の内側に前記吊り輪ガイド部材に枢着されている前記軸棒が入り込む凹部が形成されていることを特徴とする請求項１に記載の吊りチェーンクランプ。
【考案の詳細な説明】
【技術分野】
【０００１】
本考案は、橋梁などの構造物に仮設する足場を吊り下げる吊りチェーンを掛けるために、構造物の支持部材に固定する吊りチェーンクランプに関する。
【背景技術】
【０００２】
ビル建築、高速道路、橋梁などの構造物の建設、塗装あるいは補修などの工事において、吊り足場を仮設する際に、吊りチェーンクランプが利用されている（特許文献１、２参照）。吊りチェーンクランプは上部構造物のＨ型鋼などの支持部材にボルトの締め付けにより固定され、固定された吊りチェーンクランプに足場を吊り下げる吊りチェーンを掛けて吊り足場が支持される。
【０００３】
図３（ａ）、（ｂ）に示すように、従来の吊りチェーンクランプ１は、胴部５の上下にそれぞれ連結された上アーム部６と下アーム部７からなるコ字形のクランプ本体２を備え、上アーム部６には上下方向に貫通したねじ孔にクランプ用ボルト３が螺合し、クランプ本体２の下アーム部７には吊りチェーンを掛ける吊り輪４の上部の両端が軸棒９で回転自在に枢着され、垂下している。
【０００４】
この吊りチェーンクランプの使用方法は、図３（ｃ）に示すように、吊りチェーンクランプ１を支持部材であるＨ型鋼のフランジ１０をクランプ用ボルト３で締め付けて下アーム部７との間で固定する。こうして複数個の吊りチェーンクランプ１を、間隔をおいて固定し、固定したそれぞれの吊りチェーンクランプ１の吊り輪４に吊りチェーン１１を掛けて足場板を支持して吊り下げることにより足場を仮設する。
【先行技術文献】
【特許文献】
【０００５】
【特許文献１】特開平１１−１５２８９５号公報
【特許文献２】特開平０８−２８４４０３号公報
【考案の概要】
【考案が解決しようとする課題】
【０００６】
前記特許文献に開示されている従来の吊りチェーンクランプを構造物の支持部材に固定する際、クランプ用ボルトがクランプ本体の上アーム部に配置されているため、支持部材の上部スペースが狭かったり他の部材が邪魔になったりする場合には、クランプ用ボルトの締め付け作業ができずに吊りチェーンクランプを支持部材に取り付けることができないという問題があった。
【０００７】
そこで、本考案は、構造物の支持部材の上部においてクランプ用ボルトの締め付け作業ができない場合においても吊りチェーンクランプを下側からクランプ用ボルトを支持部材に締め付けて取り付けることが可能な吊りチェーンクランプを提供するものである。
【課題を解決するための手段】
【０００８】
請求項１の考案は、胴部の上部に上アーム部及び下部に下アーム部が一体に連設されてコ字形のクランプ本体が形成され、前記上アーム部及び下アーム部のいずれか一方のアーム部に上下方向に貫通して形成されたねじ孔にクランプ用ボルトが螺合され、前記クランプ用ボルトが螺合されている前記アーム部に吊りチェーンを掛ける吊り輪が、クランプ本体の胴部に上下方向に形成された垂直ガイドに沿って上下に移動可能な吊り輪ガイド部材に枢着されている軸棒に回転自在に垂下されていることを特徴とする吊りチェーンクランプである。
【０００９】
請求項２の考案は、前記上アーム部及び下アーム部の内側に前記吊り輪ガイド部材に枢着されている前記軸棒が入り込む凹部が形成されていることを特徴とする請求項１に記載の吊りチェーンクランプである。
【考案の効果】
【００１０】
本考案の吊りチェーンクランプは、コ字形のクランプ本体のアーム部にクランプ用ボルトを螺合且つ貫通させるとともに、同じ側のアーム部に吊り輪を回転自在に垂下させた構造により、支持部材の上部にクランプ用ボルトの締め付け作業ができない箇所においても吊りチェーンクランプを下側からクランプ用ボルトを支持部材に締め付けて固定することが可能となる。
【００１１】
また、本考案の吊りチェーンクランプは、吊り輪をコ字形のクランプ本体の胴部を上下に移動可能に保持しているので、クランプ本体を反転させるとともに、吊り輪を移動させることにより、従来と同様に、吊りチェーンクランプを上側からもクランプ用ボルトを支持部材に締め付けて固定することも可能である。さらに、アーム部に吊り輪の軸棒が入り込む凹部を形成することにより、吊り輪を上アーム部あるいはしたアーム部に確実に位置決めすることができる。
【図面の簡単な説明】
【００１２】
【図１】本考案の吊りチェーンクランプを示し、（ａ）は正面図、（ｂ）は側面図、（ｃ）は図１（ｂ）のＡ−Ａ断面図である。
【図２】本考案の吊りチェーンクランプの使用状態を示し、（ａ）は下から締め付ける場合、（ｂ）は上から締め付ける場合を示す図である。
【図３】従来の吊りチェーンクランプの使用状態を示し、（ａ）は正面図、（ｂ）は側面図、（ｃ）は取り付け状態を示す図である。
【考案を実施するための形態】
【００１３】
本考案の実施例について図面を参照しながら説明する。
【実施例１】
【００１４】
図１（ａ）〜（ｃ）において、鋼製の吊りチェーンクランプ１は、コ字形のクランプ本体２、クランプ本体２に螺合しているクランプ用ボルト３、コ字形のクランプ本体２に回転自在に垂下される吊り輪４で構成される。
【００１５】
コ字形のクランプ本体２は、胴部５の上部に上アーム部６が一体に連設され、胴部５の下部に下アーム部７が一体に連設されてコ字形に形成されている。
【００１６】
クランプ用ボルト３は、クランプ本体２の下部に連設された下アーム部７に上下方向に貫通するとともに、内面にねじ溝が形成されたねじ孔８に螺合し、回転により上下動可能となっている。
【００１７】
クランプ本体２の胴部５の両側面には、棒鋼を曲げてＵ字形に形成される吊り輪４を上下方向にガイドする垂直面からなる垂直ガイド１２が形成されている。両側面の垂直ガイド１２には、Ｕ字形に形成された吊り輪４の両端部に通された軸棒９により枢着されている吊り輪ガイド部材１３が摺動自在に装着されている。吊り輪ガイド部材１３とコ字形内の軸棒９により垂直ガイド１２を抱え込むように装着されているので、吊り輪４は胴部５から脱落することなく上下動可能となり、上アーム部６あるいは下アーム部７へ位置させることができる。なお、吊り輪ガイド部材１３は、吊り輪ガイド部材１３とコ字形内の軸棒９により垂直ガイド１２と胴部５全体を挟むように装着してもよい。
【００１８】
クランプ本体２の上アーム部６及び下アーム部７の内側には、吊り輪ガイド部材１３に枢着されている軸棒９が入り込んで位置決めされる上アーム凹部及び下アーム凹部１４がそれぞれ形成されている。
【００１９】
本実施例の吊りチェーンクランプの使用方法は次のとおりである。
【００２０】
図２（ａ）に示すように、実施例１と同様に、クランプ本体２の上アーム部６の下面を支持部材であるＨ形鋼のフランジ１０の上面に載せて支持する。次いで、下アーム部７のクランプ用ボルト３を回して上側に向けて移動させ、クランプ用ボルト３の先端をフランジ１０の下面に押しつけて吊りチェーンクランプ１を固定する。その後、吊り輪４に吊りチェーン１１を掛けて足場を吊ることができる。こうして、支持部材となるＨ形鋼のフランジ１０の上面にクランプ用ボルト３の締め付け作業ができない場合においても、吊りチェーンクランプ１を下側からクランプ用ボルト３を支持部材のフランジ１０に締め付けて取り付けが可能となる。
【００２１】
さらに、本実施例の吊りチェーンクランプは、図２（ｂ）に示すように、クランプ本体２の上下を反転させてクランプ用ボルト３が螺合している下アーム部７を上側に位置させて支持部材であるＨ形鋼のフランジ１０の上面に載せ、クランプ用ボルト３を回して上側から下側に向けてねじ込んで、クランプ用ボルト３の先端をフランジ１０の上面に押しつけて吊りチェーンクランプ１を固定することができる。吊り輪４はクランプ本体２の下側に移動させて軸棒９を凹部１４に入れ込んで保持し、吊りチェーン１１を掛けることができる。
【符号の説明】
【００２２】
１：吊りチェーンクランプ
２：クランプ本体
３：クランプ用ボルト
４：吊り輪
５：胴部
６：上アーム部
７：下アーム部
８：ねじ孔
９：軸棒
１０：フランジ
１１：吊りチェーン
１２：垂直ガイド
１３：吊り輪ガイド部材
１４：上アーム凹部、下アーム凹部
【図１】
0003170632.tif 000003
【図２】
0003170632.tif 000004
【図３】
0003170632.tif 000005